(57)【要約】携帯電話１０の接続端子１２ａと携帯電話ホルダー内に備えた充電部２０の充電端子２６ａを電気接続させる端子キャップ３０を備え、携帯電話１０の充電時に端子キャップ３０の着脱作用のみでも携帯電話充電作業を簡便に行う。
2006516381.tif 000002
【特許請求の範囲】
【請求項１】
携帯電話接続端子を備え、携帯電話が収納される本体と、
前記本体に配置され、充電端子を備えた充電部と、
前記携帯電話接続端子と前記充電端子を電気接続する端子キャップ接続端子を備えた端子キャップとを含むことを特徴とする充電機能付き携帯用携帯電話ホルダー。
【請求項２】
前記充電部に、外部の充電ジャックが接続される充電部接続端子を形成したことを特徴とする請求項１に記載の充電機能付き携帯用携帯電話ホルダー。
【請求項３】
前記端子キャップは、前記携帯電話接続端子又は前記充電部接続端子に接続することを特徴とする請求項２に記載の充電機能付き携帯用携帯電話ホルダー。
【請求項４】
前記携帯電話接続端子又は前記充電部接続端子をカバーする閉鎖キャップをさらに含むことを特徴とする請求項３に記載の充電機能付き携帯用携帯電話ホルダー。
【請求項５】
前記本体はパネル状で、前記携帯電話を支持し、前記充電部は前記本体と一体化したことを特徴とする請求項３又は４に記載の充電機能付き携帯用携帯電話ホルダー。
【請求項６】
前記本体はケース状で、前記携帯電話及び前記充電部が収納され、前記本体の前記充電部接続端子に対応する位置に開口部を形成したことを特徴とする請求項３又は４に記載の充電機能付き携帯用携帯電話ホルダー。
【請求項７】
前記本体は、前記開口部を開閉する開閉シートを備えたことを特徴とする請求項６に記載の充電機能付き携帯用携帯電話ホルダー。
【請求項８】
前記携帯電話の充電状態を表示できるＬＥＤをさらに設けたことを特徴とする請求項４に記載の充電機能付き携帯用携帯電話ホルダー。
【発明の詳細な説明】
【技術分野】
【０００１】
本発明は、充電機能付き携帯用携帯電話ホルダー、詳しくは、コンパクトで、携帯電話の充電作業も非常に容易な充電機能付き携帯用携帯電話ホルダーに関するものである。
【背景技術】
【０００２】
現在普及している携帯電話は別途設けた充電装置によってのみバッテリーの充電が可能である。この場合、充電されたバッテリーでは、通常、１〜２日程度の通話時間を提供できるに過ぎない。このため、外出時に長時間の通話をしたり、急な出張等で長期に旅行したりする場合にはバッテリーが消耗し、通話が不可能となる。
【０００３】
したがって、外出時には予備用として別途バッテリーを持参しなければならず、又、旅行時には別途バッテリー充電装置までも持参しなければならないという不便があった。
【０００４】
特に、最近では携帯電話に写真、銀行業務、ＭＰ３、娯楽などの多様なマルチメディア機能が提供され、携帯電話一つだけで様々なサービスの提供を受けることができるようになっている。このような機能を使用する際、バッテリーの消費量は急激に増加し、僅か一日でバッテリーが完全に消耗し、マルチメディアの機能を充分活用することができなかった。
【０００５】
このような問題点により、大韓民国実用新案登録第２０−０３０７３５８号公報では、太陽光を電気変換するソーラーセルを携帯用携帯電話ケースに付着し、本体の充電接点部と携帯電話の充電接点部を接続し、ソーラーセルにより充電できるようにしている。
【０００６】
しかし、前記従来の携帯用携帯電話ホルダーは、雨天時や曇っているときには太陽光が提供されず、環境的な制約を多く受け実効性が劣るという短所があった。
【０００７】
一方、大韓民国実用新案登録第２０−０２３２６０３号公報では、携帯電話ホルダーに所定電圧を有するバッテリーを装着して携帯電話が前記バッテリーにより充電できることは勿論、ＡＭ／ＦＭ受信可能なラジオと、ＬＤを傾聴できるＬＤプレイヤを備えてマルチメディア機能を備えた充電可能な携帯電話ホルダーを提示している。
【０００８】
【特許文献１】大韓民国実用新案登録第２０−０３０７３５８号公報
【発明の開示】
【発明が解決しようとする課題】
【０００９】
しかし、前記従来の携帯用携帯電話ホルダーは、別途、装着したバッテリーから充電する方式を採用しているため、携帯電話ホルダーの内部構造が複雑になり、全体の大きさや重量が増加するため、携帯性に劣るという短所があった。
【００１０】
そこで、本発明は、携帯電話と携帯電話ホルダー内部に備えた充電部との電気接続を可能にする端子キャップを携帯電話又は携帯電話ホルダーに着脱自在な構造で形成することで、携帯電話の充電作業が容易で、携帯電話ホルダーの内部構造を簡単にできるだけでなく、重量や大きさも小さくして、携帯性を遥かに向上できるようにした充電機能付き携帯用携帯電話ホルダーを提供することを課題とする。
【課題を解決するための手段】
【００１１】
本発明は、前記課題を解決するための手段として、携帯用携帯電話ホルダーを、携帯電話接続端子を備え、携帯電話が収納される本体と、前記本体に配置され、充電端子を備えた充電部と、前記携帯電話接続端子と前記充電端子を電気接続する端子キャップ接続端子を備えた端子キャップとを含む構成としたものである。
【００１２】
前記充電部に、外部の充電ジャックが接続される充電部接続端子を形成すればよい。
【００１３】
前記端子キャップは、前記携帯電話接続端子又は前記充電部接続端子に接続すればよい。
【００１４】
前記携帯電話接続端子又は前記充電部接続端子をカバーする閉鎖キャップをさらに含むことができる。
【００１５】
前記本体はパネル状で、前記携帯電話を支持し、前記充電部は前記本体と一体化するのが好ましい。
【００１６】
前記本体はケース状で、前記携帯電話及び前記充電部が収納され、前記本体の前記充電部接続端子に対応する位置に開口部を形成するようにしてもよい。
【００１７】
この場合、前記本体は、前記開口部を開閉する開閉シートを備えるのが好ましい。
【００１８】
また、前記充電部には、前記携帯電話の充電状態を表示できるＬＥＤをさらに設けることができる。
【発明の効果】
【００１９】
本発明によれば、次のような効果が得られる。
【００２０】
第１に、携帯電話を携帯しながら充電が可能である。このため、外出時に長時間通話したり、長期間旅行したりしても、バッテリーの消耗による通話の遮断を防止できる。
【００２１】
第２に、携帯電話の接続端子と携帯電話ホルダーの充電端子を電気接続させる端子キャップを備えることにより、携帯電話の充電時に端子キャップの着脱作用のみで簡便に充電作業を行うことができる。
【００２２】
第３に、充電部に外部の充電ジャックを接続できる充電部接続端子を形成することにより、外部の供給電源からでも充電部及び携帯電話を充電できる。
【００２３】
第４に、端子キャップが携帯電話接続端子又は充電部接続端子に接続されるので、携帯電話の充電時や充電していない通常時、携帯電話ホルダーや携帯電話に自由に互換着脱できる。
【００２４】
第５に、携帯電話接続端子又は充電部接続端子をカバーできる閉鎖キャップを備えたので、携帯電話の充電時又は充電していない通常時、端子キャップと相互交換して携帯電話接続端子と充電部接続端子に取り付けることができる。
【００２５】
第６に、携帯電話ホルダーの本体をパネル状とし、充電部を一体化したので、携帯電話の着脱が容易となり、携帯電話のホルダーの全体構造も非常に簡単にできる。
【００２６】
第７に、携帯電話ホルダーの本体をケース状とし、充電部を別途の構造物として本体内に着脱できるようにしたので、前記充電部のみを前記本体から別に分離して充電させることができ、充電部の破損時にホルダー全体の交換を不要とできる。
【００２７】
第８に、本体には、充電部接続端子に対応する位置に開口部を形成したので、本体外部から充電部接続端子に端子キャップ又は閉鎖キャップを着脱自在となり、又、外部の充電ジャックも充電部接続端子に自由に接続して使用できる。
【００２８】
第９に、携帯電話ホルダー本体に開口部を開閉する開閉シートを備えたので、端子キャップを充電部接続端子に取り付けた状態で端子キャップ接続端子が外部に露出することを防止し、端子キャップ接続端子の損傷を抑制し、外部の金属体との接触による充電部の破損を防止できる。
【００２９】
第１０に、携帯電話ホルダー内に発光表示手段であるＬＥＤを設けたので、携帯電話や充電部の充電状態をユーザーが容易に認識できる。
【発明を実施するための最良の形態】
【００３０】
以下、本発明の実施形態を添付図面を参照して詳細に説明する。なお、各図面では、同一又は同様な構成要素には同一参照符号を付している。
【００３１】
図１は本発明の第１実施形態に係る携帯用携帯電話ホルダーの構成を示す斜視図である。さらに、図２は充電済みの充電部によって充電される携帯電話を示す図であり、図３は外部の充電ケーブルによって充電される充電部及び携帯電話を示す図である。
【００３２】
図１乃至図３に示すように、本実施形態に係る携帯用携帯電話ホルダーは、携帯電話１０が収納される本体２１と、本体２１に装着された携帯電話１０を充電するための充電部２０と、携帯電話１０の充電が可能なように前記携帯電話１０と充電部２０を電気接続する端子キャップ３０とを含む。
【００３３】
本体２１は携帯電話１０を支持するパネル状に構成されている。本体２１の前面には、携帯電話１０が収納される携帯電話収納部２２が設けられている。本体２１の上部には、前記携帯電話収納部２２に収納した携帯電話１０を保持する保持手段２３が設けられている。
【００３４】
さらに、本体２１の背面には、腰ベルトなどに挟んで固定させるクリップ２４が装着されている。これにより、ユーザーは携帯電話を容易に身につけることができる。
【００３５】
充電部２０は本体２１の下部に一体化されている。充電部２０には充電回路及び充電池（図示せず）が内蔵されている。
【００３６】
さらに、前記充電部２０の上部には外部に露出する充電端子２５が設けられている。充電部２０の下部には凹部２６が形成されている。
【００３７】
前記凹部２６には充電回路及び充電池に電気接続される充電部接続端子２６ａが設けられている。充電部接続端子２６ａには充電ジャック３３を接続してもよい。
【００３８】
したがって、充電部２０の下部に設けた充電部接続端子２６ａは、充電回路及び充電池を介して充電部２０の上部に設けた充電端子２５に電気接続される。
【００３９】
また、前記充電部２０の上部構造は、携帯電話が充電部２０の上部に密着しさえすれば、本体２１に収納される携帯電話の種類や形態に応じて変更してもよい。
【００４０】
充電部２０の前面にはＬＥＤ２７が設けられ、充電部２０又は携帯電話１０が外部充電ケーブル３２を使用して充填されているときに充電状態を確認可能となっている。
【００４１】
従来の携帯電話と同様に、携帯電話１０は下端部に携帯電話接続端子１２ａを備える。携帯電話接続端子１２ａは、バッテリー１３を充電したり、あるいは、データを送受信したりするために使用される。携帯電話接続端子１２ａは凹部１２に配設されている。
【００４２】
さらに、前記凹部１２には閉鎖キャップ１１が取り外し可能に取り付けられ、通常時、携帯電話接続端子１２ａが外部に露出するのを防止している。
【００４３】
本発明に適用される端子キャップ３０は合成樹脂材料からなり、端子キャップ接続端子３１がインサート成形されている。端子キャップ接続端子３１は、端子キャップ３０を携帯電話接続端子１２ａ、充電端子２５又は充電部接続端子２６ａに電気接続している。
【００４４】
前記端子キャップ２０は、閉鎖キャップ１１と同様に、携帯電話１０の凹部１２又は充電部２０の凹部２６に着脱自在となっている。携帯電話１０が充電されないとき、端子キャップ３０は充電部２０の凹部２６に取り付けられる。
【００４５】
前述のように構成された本発明の携帯電話ホルダーを利用して携帯電話１０に充電する必要があれば、図２に示すように、端子キャップ３０を携帯電話ホルダーの充電部２０の下部から取り外す。その後、端子キャップ３０を携帯電話１０の下端部に設けた凹部１２に取り付ける。
【００４６】
そのような状態で、前記端子キャップ３０を備えた携帯電話１０を本体２１の携帯電話収納部２２に保持すれば、端子キャップ接続端子３１は携帯電話接続端子１２ａ及び充電端子２５と接続されて閉回路を形成し、携帯電話１０に充電される。
【００４７】
そのような携帯電話１０への充電は、充電部２０内の充電池（図示せず）の電荷量と携帯電話１０のバッテリー１３内部の電荷量が同一になるまで行われる。
【００４８】
携帯電話１０を充電する際、閉鎖キャップ１１を紛失しないように、充電部２０の凹部１２から取り外され、充電部２０の凹部２６に取り付けられる。一方、携帯電話１０への充電が完了すれば、閉鎖キャップ１１が携帯電話１０の凹部１２に取り付けられ、端子キャップ３０が充電部２０の凹部２６に取り付けられることにより、端子キャップ３０及び閉鎖キャップ１１の紛失が防止される。
【００４９】
本発明の携帯電話ホルダーは、図３に示すように、外部充電ケーブル３２を利用して充電部２０又は携帯電話１０への充電を可能とする。
【００５０】
すなわち、本体２１の携帯電話収納部２２に携帯電話１０を配設すれば、充電ジャック３３が充電部接続端子２６ａに連結され、充電が行われる。そのような充電の間、充電部２０又は携帯電話１０の充電状態がＬＥＤ２７に表示される。
【００５１】
詳しくは、充電中、ＬＥＤ２７はＯＮ状態となる。逆に、充電が完了すれば、ＬＥＤ２７はＯＦＦ状態となる。つまり、ＬＥＤ２７がＯＮ又はＯＦＦのいずれであるのかで充電状態が分かる。
【００５２】
多数の状態に応じて種々の色を表示するために、本発明は３又は７色のマルチカラーＬＥＤを備えるのが好ましい。マルチカラーＬＥＤの色彩により、装置が充電されているか否かをユーザーが判別しやすくなる。
【００５３】
例えば、携帯電話ホルダーの充電部２０が充電中であれば、ＬＥＤ２７は赤色を点灯する。一方、携帯電話１０が充電中であれば、ＬＥＤ２７は黄色を点灯する。
【００５４】
図４は、本発明に係る携帯用携帯電話ホルダーが備えた充電部の内部構成を概略的に示したブロック図である。
【００５５】
図４に示すように、充電部２０には信号検出部４１及び制御部４２が設けられている。信号検出部４１は、携帯電話１０の充電部２０又はバッテリー１３に設けた充電池４５から出力される電圧又は電流を検出する。制御部４２は、信号検出部４１からの信号出力を利用して、いずれの装置が充電中であり、充電が完了したか否かを判断する。
【００５６】
さらに、充電部２０には、充電表示部、第１充電回路部４４、及び、第２充電回路部４６が設けられている。充電表示部４３は、制御部４２の出力信号に応じて充電状態を表示する。第１充電回路部４４は、外部電源からの電力供給を利用して充電池４５を充電する。第２充電回路部４６は、充電池４５から電源供給を利用して携帯電話バッテリー１３を充電する。
【００５７】
前記信号検出部４１は、充電池４５及びバッテリー１３の抵抗値を検出する検出手段（図示せず）と、アナログ信号をデジタル信号に変換させるＡ／Ｄコンバータ（図示せず）と、信号増幅手段（図示せず）とをさらに含んでいる。
【００５８】
したがって、携帯電話ホルダーの充電部２０を充電すれば、信号検出部４１は充電部２０に設けた充電池４５の抵抗値を検出し、検出した抵抗値をデジタル信号に変換した後、このデジタル信号を増幅し、増幅した信号を制御部４２に出力する。
【００５９】
次に、前記制御部４２は、充電要素及び充電経過に対する、携帯電話ホルダーのホルダー本体２１の接続をチェックし、充電状態に応じてＬＥＤ２７をＯＮ又はＯＦＦするために充電表示部４３を制御する。
【００６０】
例えば、制御部４２は、充電中であれば、ＬＥＤ２７がオンして赤色を発光し、充電が完了すれば、ＬＥＤ２７がオフするように、充電表示部４３を制御する。
【００６１】
一方、携帯電話ホルダーに携帯電話１０が収納された状態で、携帯電話バッテリー１３が充電されれば、信号検出部４１は携帯電話１０のバッテリー１３の抵抗値を検出した後、その検出抵抗をデジタル信号に変換し、そのデジタル信号を増幅する。その後、その信号は制御部４２へと出力される。
【００６２】
このとき、制御部４２は、充電要素及び充電経過に対する、バッテリー１３の接続をチェックし、充電状態に応じてＬＥＤがオン又はオフするように充電表示部４３を制御する。
【００６３】
例えば、制御部４２は、充電中であれば、ＬＥＤ２７がオンして黄色を発光し、充電が完了すれば、ＬＥＤ２７がオフするように、充電表示部４３を制御する。
【００６４】
図５は、本発明の第２実施形態について、ケース状の本体を備えた携帯電話の構造を示す斜視図である。図６は、図５の充電済みの充電部を使用して充電される携帯電話を示す図、図７は、外部充電ケーブルによって充電される、図５の携帯電話及び充電部を示す図である。
【００６５】
本発明の第１及び第２実施形態に共通の要素には同一の参照符号を使用する。
【００６６】
第１実施形態とは相違する第２実施形態の特徴のみを以下に詳述する。
【００６７】
図５乃至図７に示すように、本発明の第２実施形態に係る携帯用携帯電話ホルダーは携帯電話１０が収納される本体２１と、本体２１に装着された携帯電話１０を充電するための充電部２０と、携帯電話１０の充電ができるように前記携帯電話１０と充電部２０を電気接続する端子キャップ３０とを含む。
【００６８】
前記本体２１はケース状で、布又は織物で形成される。本体の上部には、そこに収納した携帯電話１０を覆うようにカバー２８が設けられている。
【００６９】
前記本体２１の背面にはバンド３６が設けられ、ユーザーが携帯電話ホルダーを容易に携帯可能となっている。
【００７０】
第１実施形態とは異なり、充電部２０は本体２１に着脱される。
【００７１】
前記本体２１の底面には、充電部２０の凹部２６に対応する位置に開口部３７が設けられ、端子キャップ３０又は充電ジャック３３を充電部２０にアクセス容易としている。ここでは、前記開口部３７は凹部２３よりも若干大きくなっている。
【００７２】
前記本体２１の底面外側には、端子キャップ３０を保護するためにカバーシート３９を設けてもよい。これにより、端子キャップ３０の紛失が防止され、あるいは、開口部３７を介して充電部２０の凹部２６に取り付けた端子キャップ３０が外部に露出することが防止される。
【００７３】
前記開閉シート３９の末端内側面と、これに対応する本体２１の外面とには、ベルクロファスナ３９ａ等の着脱手段を採用することにより、開閉シート３９を本体２１から着脱容易とするのが好ましい。
【００７４】
本体２１の前面下端部には所定サイズの孔３８が形成されることにより、充電部２０の所定位置に設けたＬＥＤ２７が外部に露出可能となっている。
【００７５】
このような構成を有する第２実施形態の作用効果は、前記第１実施形態と同様であるので、その説明を省略する。
【００７６】
前記第１及び２実施形態に係る携帯電話ホルダーは、フォルダ型携帯電話にのみ限定して適用されるものではない。前記携帯電話ホルダーは、その他スティック型、フリップ型携帯電話等を含む種々の携帯電話に採用可能である。
【００７７】
しかも、前記携帯電話ホルダーは、前述の携帯電話に加えて、ＭＰ３プレイヤや携帯用個人情報端末機（ＰＤＡ）等の種々の携帯機器に採用可能である。
【００７８】
以上、本発明の好ましい実施形態について説明したが、当業者は特許請求の範囲に記載した本発明の思想及び領域から外れない範囲内で本発明を多様に修正及び変更することが可能である。
【図面の簡単な説明】
【００７９】
【図１】本実施形態に係る携帯用携帯電話ホルダーの構成を示す斜視図である。
【図２】図１において携帯電話を充電させる場合の使用状態図である。
【図３】図１において充電ケーブルを通じて充電させる場合の使用状態図である。
【図４】図１に示された充電部の内部構成を概略的に示すブロック図である。
【図５】他の実施形態に係る携帯用携帯電話ホルダーの構成を示す斜視図である。
【図６】図５において携帯電話を充電させる場合の使用状態図である。
【図７】図５において充電ケーブルを通じて充電させる場合の使用状態図である。
【符号の説明】
【００８０】
１０…携帯電話
１１…閉鎖キャップ
１２、２６…凹部
１２ａ…携帯電話接続端子
１３…バッテリー
２０…充電部
２１…本体
２２…携帯電話収納部
２３…保持手段
２４…クリップ
２５…充電端子
２６ａ…充電部接続端子
２７…ＬＥＤ
２８…蓋
３０…端子キャップ
３１…端子キャップ接続端子
３２…充電ケーブル
３３…充電ジャック
３５…ケース
３６…バンド
３７…開口部
３８…孔
４１…信号感知部
４２…制御部
４３…充電表示部
４４…第１充電回路部
４５…充電池
４６…第２充電回路部
【図１】
2006516381.tif 000003
【図２】
2006516381.tif 000004
【図３】
2006516381.tif 000005
【図４】
2006516381.tif 000006
【図５】
2006516381.tif 000007
【図６】
2006516381.tif 000008
【図７】
2006516381.tif 000009
【国際調査報告】
2006516381.tif 000010
2006516381.tif 000011